【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
患者に対して呼吸可能ガスを供給するための呼吸用マスクアセンブリであって、
本体ボディと、この本体ボディの両側方に配置されたフレーム側部部材と、を備えて構成されたフレームであるとともに、前記フレーム側部部材の少なくとも一方が、一体的に形成されたロックリップ受領アセンブリを有しているような、フレームと；
本体ボディを備えて構成された少なくとも１つのロッククリップであるとともに、前記本体ボディが、前方部分および後方部分を有し、前記前方部分が、前記少なくとも１つのロッククリップ受領アセンブリに対して着脱可能に連結され得るよう構成され、前記後方部分が、ヘッドギアアセンブリに対して着脱可能に連結され得るよう構成された、少なくとも１つのロッククリップと；
を具備し、
前記少なくとも１つのロッククリップの前記前方部分と前記後方部分とが、互いに対して角度を形成して配置されていることを特徴とする呼吸用マスクアセンブリ。
【請求項２】
請求項１記載の呼吸用マスクアセンブリにおいて、
前記前方部分が前記少なくとも１つのロッククリップ受領アセンブリに対して着脱可能に連結される際には、前記前方部分が、前記少なくとも１つのロックリップ受領アセンブリに対して全体的に位置合わせされ、かつ、前記後方部分が、前記前方部分に対して角度を形成しており、これにより、前記マスクアセンブリを患者の顔に対して固定した際には、前記後方部分が、患者の顔に沿うようにして延在することを特徴とする呼吸用マスクアセンブリ。
【請求項３】
請求項１記載の呼吸用マスクアセンブリにおいて、
前記ロッククリップの前記後方部分が、クロスバーを備え、
このクロスバーが、開口を形成しており、
この開口を通して、前記ヘッドギアアセンブリのストラップを通過させることができ、そのストラップを、前記クロスバーに対して着脱可能に連結し得るようになっており、
前記ロッククリップの前記前方部分が、少なくとも１つの弾性的かつフレキシブルなスプリングアームを備え、
この少なくとも１つのスプリングアームが、前記ロッククリップの前記本体ボディがなす平面内において撓み得るものとされていることを特徴とする呼吸用マスクアセンブリ。
【請求項４】
患者に対して呼吸可能ガスを供給するための呼吸用マスクアセンブリであって、
本体ボディと、この本体ボディの両側方に配置されたフレーム側部部材と、を備えて構成されたフレームを具備し、
前記本体ボディが、オリフィスと、このオリフィスを実質的に囲むカラーと、を備え、
前記オリフィスを通して、呼吸可能なガスが、鼻の呼吸キャビティ内へと導入され、
前記フレーム側部部材の少なくとも一方が、一体的に形成されたロックリップ受領アセンブリを備え、
前記フレームが、成型によって形成され、この場合、前記カラーおよび前記ロックリップ受領アセンブリから型を取り外すに際し、型構成部材を、単一平面に沿って引き抜き得るものとされていることを特徴とする呼吸用マスクアセンブリ。
【請求項５】
請求項４記載の呼吸用マスクアセンブリにおいて、
さらに、前記カラーに対して連結されたエルボーアセンブリを具備していることを特徴とする呼吸用マスクアセンブリ。
【請求項６】
請求項４または５のいずれかに記載の呼吸用マスクアセンブリにおいて、
さらに、本体ボディを備えて構成された少なくとも１つのロッククリップを具備し、
前記本体ボディが、前方部分および後方部分を備え、
前記前方部分が、前記少なくとも１つのロッククリップ受領アセンブリに対して着脱可能に連結され得るよう構成され、前記後方部分が、ヘッドギアアセンブリに対して着脱可能に連結され得るよう構成されていることを特徴とする呼吸用マスクアセンブリ。
【請求項７】
請求項６記載の呼吸用マスクアセンブリにおいて、
前記ロッククリップの前記後方部分が、クロスバーを備え、
このクロスバーが、開口を形成しており、
この開口を通して、前記ヘッドギアアセンブリのストラップを通過させることができ、そのストラップを、前記クロスバーに対して着脱可能に連結し得るようになっており、
前記ロッククリップの前記前方部分が、少なくとも１つの弾性的かつフレキシブルなスプリングアームを備え、
この少なくとも１つのスプリングアームが、前記ロッククリップの前記本体ボディがなす平面内において撓み得るものとされていることを特徴とする呼吸用マスクアセンブリ。
【請求項８】
呼吸用マスクアセンブリのためのフレームを成型するための方法であって、
本体ボディと、この本体ボディの両側方に配置されたフレーム側部部材と、を備えて構成されたフレームを、型内において成型し、この際、前記本体ボディが、貫通したオリフィスと、このオリフィスを実質的に囲むカラーと、を備えるものとし；
前記フレーム側部部材の少なくとも一方に、少なくとも１つのロックリップ受領アセンブリを形成し；
前記カラーおよび前記ロックリップ受領アセンブリから型を取り外すに際し、互いに対向している型構成部材を、単一平面に沿って引き抜く；
ことを特徴とする方法。
【請求項９】
患者に対して呼吸可能ガスを供給するための呼吸用マスクアセンブリにおいてフレームとヘッドギアアセンブリとを着脱可能に連結するためのロッククリップであって、
本体ボディを具備し、
この本体ボディが、前方部分および後方部分を備え、
前記前方部分が、前記フレームに対して着脱可能に連結され得るよう構成され、
前記後方部分が、前記ヘッドギアアセンブリに対して着脱可能に連結され得るよう構成され、
前記後方部分が、クロスバーを備え、
このクロスバーが、開口を形成しており、
この開口を通して、前記ヘッドギアアセンブリのストラップを通過させることができ、そのストラップを、前記クロスバーに対して着脱可能に連結し得るようになっており、
前記前方部分が、少なくとも１つの弾性的かつフレキシブルなスプリングアームを備え、
この少なくとも１つのスプリングアームが、前記本体ボディがなす平面内において撓み得るものとされ、
前記前方部分および前記後方部分が、互いに対して角度を形成して配置されていることを特徴とするロッククリップ。
【請求項１０】
請求項９記載のロッククリップにおいて、
前記スプリングアームが、自由端のところにロックタブを備え、
このロックタブが、前記フレームのスロット内へと挿入され得るよう構成されているとともに、前記スロット内に形成されたロックフランジに対して相互ロックし得るよう構成され、この相互ロックにより、前記ロッククリップと前記フレームとが着脱可能に連結されることを特徴とするロッククリップ。
【請求項１１】
請求項９記載のロッククリップにおいて、
前記ロッククリップが、中央支持タブを備え、
前記ロッククリップと前記フレームとの着脱可能な連結に際しては、前記中央支持タブが前記フレームのスロット内に挿入され、これにより、前記ロッククリップと前記フレームとの間の相対移動が防止されることを特徴とするロッククリップ。
【請求項１２】
請求項１１記載のロッククリップにおいて、
前記ロッククリップが、前記中央支持タブの両サイドに位置した一対のスプリングアームを備え、
前記中央支持タブの長さが、前記各スプリングアームの長さよりも、長いものとされていることを特徴とするロッククリップ。
【請求項１３】
請求項１２記載のロッククリップにおいて、
前記中央支持タブが、グルーブを備え、
前記ロッククリップと前記フレームとの着脱可能な連結に際しては、前記グルーブが、前記スロット内に形成された突起を受領することを特徴とするロッククリップ。
【請求項１４】
請求項１３記載のロッククリップにおいて、
前記グルーブの長さが、前記中央支持タブの長さと比較して、半分以上という長さとされていることを特徴とするロッククリップ。
【請求項１５】
請求項１３記載のロッククリップにおいて、
前記中央支持タブの前記グルーブと、前記スロットの前記突起と、が係合していることにより、前記一対をなすスプリングアームのうちの一方のスプリングアームに対して印加された力が、他方のスプリングアームに対して伝達されないことを特徴とするロッククリップ。
【請求項１６】
請求項１１記載のロッククリップにおいて、
前記中央支持タブの高さが、前記少なくとも一方のスプリングアームの高さよりも、大きなものとされていることを特徴とするロッククリップ。
【請求項１７】
請求項９〜１６のいずれか１項に記載のロッククリップにおいて、
前記ロッククリップが、このロッククリップを患者が親指と対向指との間に把持し得るものとして、構成されていることを特徴とするロッククリップ。